(57)【要約】【課題】安全性に優れ、また左右どちらの利き手の人でも楽にき使用できるギロチン式手動カッターを提供する。【解決手段】テーブル１０の一端に固定された下刃３１と、下刃３１の上方に配設され、シート類を切断する上刃２３とを備えている。テーブル１０の下刃３１側に固定されて上方に伸び、 テーブル１０側及び上方が開放した支持枠体１１と、支持枠体１１に上下摺動可能に設けられ、 上刃２３の上端部を回転自在に支承する上下動板１２と、上下動板１２を上方に付勢する上下動板付勢用ばね２５と、上刃２３を下刃３１側に付勢する上刃付勢用ばね３３とを備え、 上下動板１２は、支持枠体１１に上下動可能に設けられた移動部１２a と、移動部１２a の上端より上刃２３の上方を覆うようにテーブル１０側に伸びた押し部１２b とからなっている。【選択図】      図３
2011125992.tif 000002
【特許請求の範囲】
【請求項１】
テーブルの一端に固定された下刃と、この下刃の上方に配設され、前記下刃と対となってシート類を切断する上刃とを備えたギロチン式手動カッターにおいて、前記テーブルの前記下刃側に固定されて上方に伸び、 前記テーブル側及び上方が開放した支持枠体と、この支持枠体に上下摺動可能に設けられ、 前記上刃の上端部を回転自在に支承する上下動板と、この上下動板を上方に付勢する上下動板付勢部材と、前記上刃を前記下刃側に付勢する上刃付勢部材とを備え、 前記上下動板は、前記支持枠体に上下動可能に設けられた移動部と、この移動部の上端より前記上刃の上方を覆うように前記テーブル側に伸びた押し部とからなることを特徴とするギロチン式手動カッター。
【請求項２】
前記支持枠体には、前記上刃の前面側に前側安全カバーが設けられていることを特徴とする請求項１記載のギロチン式手動カッター。
【発明の詳細な説明】
【技術分野】
【０００１】
本発明は、事務機等に使用されるギロチン式手動カッターに関する。
【背景技術】
【０００２】
従来のギロチン式手動カッターは、図５に示すような構造となっている。 テーブル１の一端には下刃２が固定されており、下刃２の一端部には上刃３の一端部が支軸４を介して回転自在に支承されている。また上刃３の他端部はハンドル部３a となている。そこで、ハンドル部３a を手で持って上下動させることで、鋏のようにシート類のものを切断している。 この種のギロチン式手動カッターとして、例えば特許文献１が挙げられる。
【先行技術文献】
【特許文献】
【０００３】
【特許文献１】実開平６−７４２９６４号公報
【発明の概要】
【発明が解決しようとする課題】
【０００４】
上刃３の他端部のハンドル部３a を上下動させるので、シート類を押える手が下刃２と上刃３間の部分に簡単に入り易く、 怪我をする可能性が大きく安全性に問題があった。 特に手が不自由な人には扱いにくく、また自由な人でも常に気をつける必要がある。 また上刃３は下刃２に支軸４で回転自在に支承されているのみであるので、特に複数枚のシート類を重ね切る時には、 一部が切断できずに下刃２と上刃３の間に入り込み易く、 なお一層の注意が必要となる。 また上刃３の他端部のハンドル部３a を上下動させる構造であり、 右利き手用となっているので、 左利き手の人は非常に使い難いという問題があった。
【０００５】
本発明の課題は、安全性に優れ、また左右どちらの利き手の人でも楽に使用できるギロチン式手動カッターを提供することにある。
【課題を解決するための手段】
【０００６】
上記課題を解決するための本発明の請求項１は、テーブルの一端に固定された下刃と、この下刃の上方に配設され、前記下刃と対となってシート類を切断する上刃とを備えたギロチン式手動カッターにおいて、前記テーブルの前記下刃側に固定されて上方に伸び、 前記テーブル側及び上方が開放した支持枠体と、この支持枠体に上下摺動可能に設けられ、 前記上刃の上端部を回転自在に支承する上下動板と、この上下動板を上方に付勢する上下動板付勢部材と、前記上刃を前記下刃側に付勢する上刃付勢部材とを備え、 前記上下動板は、前記支持枠体に上下動可能に設けられた移動部と、この移動部の上端より前記上刃の上方を覆うように前記テーブル側に伸びた押し部とからなることを特徴とする。
【０００７】
上記課題を解決するための本発明の請求項２は、上記請求項１において、前記支持枠体には、前記上刃の前面側に前側安全カバーが設けられていることを特徴とする。
【発明の効果】
【０００８】
上刃は支持枠体に上下動可能に設けられた上下動板に設けられ、 上下動板には上刃の上方を覆うようにテーブル側に伸びた押し部が設けられている。 即ち、 シート類の切断時には上刃の上方を覆う押し部を押すので、 安全性に優れている。 また上刃の前側安全カバーを設けると、 シート類を押えている手が上刃の下に入るのが防止され、 より一層安全となる。また上下動板の押し部を押す構造であるので、 左利きの手の人は、
刃の方を左に置けば良いので、 左利きでも問題がない。 即ち、 左右どちらの利き手の人でも楽に使用できる。
【図面の簡単な説明】
【０００９】
【図１】本発明のギロチン式手動カッターの一実施の形態を示す一部断面正面図で、図３のＡ−Ａ線断面図である。
【図２】図１の平面図である。
【図３】図２のＢ−Ｂ線断面図である。
【図４】本発明のギロチン式手動カッターの他の実施の形態を示す一部断面側面図である。
【図５】従来のギロチン式手動カッターを示し、(a)は側面図、(b) は(a) の左側面図である。
【発明を実施するための形態】
【００１０】
本発明のギロチン式手動カッターの一実施の形態を図１乃至図３により説明する。テーブル１０の一端には、 上方に伸びた支持枠体１１が固定されており、支持枠体１１は、テーブル１０側及び上方が開放している。 支持枠体１１内には、 上下動板１２が配設されており、上下動板１２は、上下に伸びた移動部１２a と、テーブル１０側に伸びた押し部１２b と、押し部１２b の端部より下方に僅かに伸びたばね保持部１２c とからなっている。支持枠体１１の上方に伸びた背面板１１a の左右両側には、 上方に伸びたガイド１３、１３が固定されており、上下動板１２には、ガイド１３、１３に上下摺動可能に嵌挿されたスライダ１４、１４が固定されている。
【００１１】
上下動板１２の移動部１２a の図１における右側部と、 この部分より左側上方部にはそれぞれＵ字状の支持板２０、２０が固定されており、この支持板２０には支軸２１を介して上刃取付板２２が回転自在に支承されている。上刃取付板２２には上刃２３が固定されており、上刃２３は刃先が右側から左側に上方に傾斜している。 即ち、 上刃２３は、右側が切り始め部２３a となり、左側が切り終り部２３b となっている。支持枠体１１の左右下端部には、 ばね位置決めロッド２４、２４が上方に伸びて固定されており、ばね位置決めロッド２４には上下動板１２を上方に付勢するように上下動板付勢用ばね２５が嵌挿されている。上下動板１２の上昇位置を規制するために、 支持枠体１１の背面板１１a のほぼ中央の上面には上下動板１２側に伸びたストッパ２６が固定されている。このストッパ２６の下面に上下動板付勢用ばね２５の付勢力で圧接するように、上下動板１２にはストッパ２７が固定されている。
【００１２】
テーブル１０の支持枠体１１内の突出した突出部１０a の下面には、下刃固定板３０が固定されており、下刃固定板３０には上刃２３と対となる下刃３１が固定されている。下刃３１の右側の切り始め部２３a 側の上面には、上刃ガイド板３２が固定されている。上下動板１２と上刃２３間には上刃２３を上刃ガイド板３２に圧接するように付勢する複数個の上刃付勢用ばね３３、３３、３３（実施の形態は３個）が配設されており、上下動板１２には上刃付勢用ばね３３、３３、３３を位置決めするロッド３４、３４、３４が固定されている。更に安全をきすために、支持枠体１１にはテーブル１０との間にシート類の通過部３５を有し上刃２３の前面を覆うように、 前側安全カバー３６が固定されている。
【００１３】
次に作用について説明する。 図１は、上下動板付勢用ばね２５の付勢力で支持枠体１１が上方に位置し、 支持枠体１１に固定されたストッパ２６に上下動板１２に固定されたストッパ２７が圧接した状態、即ち上刃２３が上昇した状態を示す。 この状態でテーブル１０に載置したシート類の切断部を下刃３１上に位置させ、 上下動板１２の押し部１２b を押す。 これにより、上刃２３が下降し、 シート類は上刃２３の切り始め部２３a から切り終り部２３b によって切断される。押し部１２b を押している手を離すと、 上下動板付勢用ばね２５の付勢力で支持枠体１１と共に上刃２３は上昇し、図１の状態となる。
【００１４】
このように、上刃２３は支持枠体１１に上下動可能に設けられた上下動板１２に設けられ、 上下動板１２には上刃２３の上方を覆うようにテーブル１０側に伸びた押し部１２b が設けられている。 即ち、 シート類の切断時には上刃２３の上方を覆う押し部１２b を押すので、 安全性に優れている。 また上刃２３の前側安全カバー３６を設けると、 シート類を押えている手が上刃２３の下に入るのが防止され、 より一層安全となる。また上下動板１２の押し部１２ｂを押す構造であるので、 左利きの手の人は、
刃２３、３１の方を左に置けば良いので、 左利きでも問題がない。 即ち、 左右どちらの利き手の人でも楽に使用できる。
【００１５】
本発明のギロチン式手動カッターの他の実施の形態を図４により説明する。前記実施の形態は、上下動板１２に上刃２３を、支持板２０、支軸２１、上刃取付板２２を介して回転自在に支承し、上刃２３がばね３３の付勢力で上刃ガイド板３２に圧接するように構成した。 本実施の形態は、上下動板１２に板ばね固定板４０を固定し、この板ばね固定板４０に板ばね４１を介して上刃２３を固定している。これにより、上刃２３の切り始め部２３a が板ばね４１の付勢力によって上刃ガイド板３２に圧接する。このように構成しても前記実施の形態と同様の効果が得られる。
【００１６】
なお、上記実施の形態においては、 前記上刃ガイド板３２を下刃３１の上面に固定したが、下刃３１の側面又はテーブル１０に固定してもよい。または、上刃ガイド板３２を設けなく、 上刃２３の下方の切り始め部２３a 部分を直接下刃３１に当接させるようにしてもよい。
【符号の説明】
【００１７】
１０    テーブル
１１    支持枠体
１２    上下動板
１２a  
移動部
１２b  
押し部
１３    ガイド
１４    スライダ
２０    支持板
２１    支軸
２２    上刃取付板
２３    上刃
２５    上下動板付勢用ばね
３１    下刃
３３    上刃付勢用ばね
３６    前側安全かバー
【図１】
2011125992.tif 000003
【図２】
2011125992.tif 000004
【図３】
2011125992.tif 000005
【図４】
2011125992.tif 000006
【図５】
2011125992.tif 000007